(57)【要約】  本発明は、ネットワークシステムにより実行する通信方法を提供し、UE（User  Equipment）のグループ間でP2P（Peer-to-Peer）通信モードをサポートするUEからリアルタイム無線BBS（掲示板サービス）を確立する要求を受信し、この要求はUEのグループ間での他のUEの識別情報を有するステップと、リアルタイム無線BBSを確立する要求に従って、対応する無線リソースをUEのグループに割り当て、これにより、情報がP2P通信モードをサポートするUE間での直接リンクを介して交換されることが可能になるステップとを有する。
2008527884.tif 000002
【特許請求の範囲】
【請求項１】
ネットワークシステムにより実行される通信方法であって：
(A)UE（User  Equipment）のグループ間でP2P（Peer-to-Peer）通信モードをサポートするUEからリアルタイム無線BBS（Bulletin  Board  Service）を確立する要求を受信し、前記要求は前記UEのグループ間での他のUEの識別情報を有するステップと；
(B)前記リアルタイム無線BBSを確立する要求に従って、対応する無線リソースを前記UEのグループに割り当て、これにより、情報がP2P通信モードをサポートするUE間での直接リンクを介して交換されることが可能になるステップと；
を有する通信方法。
【請求項２】
ステップ(B)は：
(a)前記リアルタイム無線BBSを確立する要求に従って、前記UEのグループ間で前記リアルタイム無線BBSを確立する要件が満たされているか否かを決定し；
(b)前記リアルタイム無線BBSを確立する要件が満たされている場合に、前記無線リソースを割り当てることを有する、請求項１に記載の通信方法。
【請求項３】
ステップ(a)は：
(a1)前記リアルタイム無線BBSを確立する要求に従って、ページングメッセージを前記他のUEにそれぞれ送信し；
(a2)前記他のUEからページング応答メッセージを受信し；
(a3)前記ページング応答メッセージに従って、前記UEのグループ間で前記リアルタイム無線BBSを確立する要件が満たされているか否かを決定することを有する、請求項２に記載の通信方法。
【請求項４】
前記ページング応答メッセージは、P2P機能指示情報を有する、請求項３に記載の通信方法。
【請求項５】
ステップ(a3)は：
前記P2P機能指示情報に従って、前記他のUEがリアルタイム無線BBS通信を実行する機能を有するか否かを判定し、前記リアルタイム無線BBSが前記UEのグループ間で確立可能であるか否かを決定することを有する、
請求項４に記載の通信方法。
【請求項６】
前記ページングメッセージは、前記UEの識別情報を有し、
前記ページング応答メッセージは、前記他のUEが前記リアルタイム無線BBSを確立する要求を受け入れるか否かについての情報を有し；
前記ステップ(a3)は：
前記ページング応答メッセージに従って、前記他のUEが前記UEと前記リアルタイム無線BBSを確立することに合意したか否かを判定し、前記リアルタイム無線BBSが前記UEのグループ間で確立可能であるか否かを決定することを更に有する、請求項５に記載の通信方法。
【請求項７】
前記ページング応答メッセージは、前記他のUEの位置情報を有し；
前記ステップ(a3)は：
前記位置情報に従って、前記UEのグループの何らかの２つのUEの間の距離がP2P通信の無線サービスエリア範囲内にあるか否かを判定し、前記リアルタイム無線BBSが前記UEのグループ間で確立可能であるか否かを決定することを有する、請求項４に記載の通信方法。
【請求項８】
ステップ(a)は：
前記直接リンクを探索する無線リソースを前記UEのグループに割り当て、これにより、各UEが前記直接リンクを介して探索信号を前記UEのグループの他のUEにそれぞれ送信することができ；
各UEから探索報告を受信し；
前記探索報告に従って、トラヒック信号が前記直接リンクを介して伝達可能であるか否かを判定し、前記リアルタイム無線BBSが前記UEのグループ間で確立可能であるか否かを決定することを有する、請求項２に記載の通信方法。
【請求項９】
前記他のUE間でのいくつかのUEがマルチキャスト通信機能を有さない場合、又は前記リアルタイム無線BBSを確立することに合意しない場合、前記リアルタイム無線BBSを確立する要求を送信したUEに、前記いくつかのUEの識別情報を送信するステップと；
前記リアルタイム無線BBSを確立する要求を送信したUEから指示メッセージを受信するステップと；
前記UEのグループ間で前記リアルタイム無線BBSを確立するか否かを決定するステップと；
を更に有する、請求項５又は６に記載の通信方法。
【請求項１０】
前記UE間でのいくつかのUEと前記UE間での他のUEとの距離がP2P通信の無線サービスエリア範囲を超えている場合、又は探索した前記直接リンクのうちいくつかがトラヒック信号を伝達するために使用できないことを前記いくつかのUEからの探索報告が示す場合、前記いくつかのUE及び前記他のUEの識別情報が、前記リアルタイム無線BBSを確立する要求を送信したUEに報告されるステップと；
前記リアルタイム無線BBSを確立する要求を送信したUEから指示メッセージを受信するステップと；
前記指示メッセージに従って、前記UEのグループ間で前記リアルタイム無線BBSを確立するか否かを決定するステップと；
を更に有する、請求項７又は８に記載の通信方法。
【請求項１１】
前記リアルタイム無線BBSを確立する要求を送信したUEに照会メッセージを送信し、前記リアルタイム無線BBSを制御する役目をするUEの識別情報を取得するステップと；
前記リアルタイム無線BBSを確立する要求を送信したUEから指定指示を受信し、前記指定指示は、前記リアルタイム無線BBSを制御する役目をするUEの識別情報を有するステップと；
を更に有する、請求項２に記載の通信方法。
【請求項１２】
前記リアルタイム無線BBSで制御する役目をするUEから前記リアルタイム無線BBSを終了する指示を受信するステップと；
前記リアルタイム無線BBSを終了する指示を前記リアルタイム無線BBSのオンラインUEに転送するステップと；
前記割り当てられた無線リソースを再生するステップと；
を更に有する、請求項１１に記載の通信方法。
【請求項１３】
(i)UEから前記リアルタイム無線BBSに参加する要求を受信するステップと；
(ii)前記UEが前記リアルタイム無線BBSに参加することを許可するか否かを、前記リアルタイム無線BBSを制御する役目をするUEに照会するステップと；
(iii)前記リアルタイム無線BBSを制御する役目をするUEから指示を受信するステップと；
(iv)前記指示に従って対応する動作を実行し、これにより、前記UEが前記リアルタイム無線BBSに参加することを許可する、又は前記UEが前記リアルタイム無線BBSに参加することを禁止するステップと；
を更に有する、請求項１１に記載の通信方法。
【請求項１４】
ステップ(iv)は：
前記UEが前記リアルタイム無線BBSに参加することを前記指示が許可する場合、前記UEが前記リアルタイム無線BBSのオンラインUEとマルチキャスト通信を実行することができるか否かを検査し；
マルチキャスト通信の要件が満たされている場合に、対応する無線リソースを前記UEに割り当て、これにより、前記UEは前記リアルタイム無線BBSを介して通信することができることを有する、請求項１３に記載の通信方法。
【請求項１５】
UEから前記リアルタイム無線BBSを終了する要求を受信するステップと；
前記リアルタイム無線BBSを終了する要求を前記リアルタイム無線BBSのオンラインUEに転送するステップと；
を更に有する、請求項２に記載の通信方法。
【請求項１６】
P2P通信モードをサポートするUEにより実行される通信方法であって：
(A)前記UEを含むUEのグループ間でリアルタイム無線BBSを確立する要求をネットワークシステムに送信し、前記要求は、前記UEのグループ間での他のUEの識別情報を有するステップと；
(B)前記ネットワークシステムから前記要求に従って割り当てられた無線リソースを受信するステップと；
(C)前記無線リソースを使用することにより、P2P通信の直接リンクを介して前記他のUEと情報を交換するステップと；
を有する通信方法。
【請求項１７】
前記ネットワークシステムから報告を受信するステップと；
前記他のUE間でのいくつかのUEが前記リアルタイム無線BBSを実行する機能を有さないという情報を有する前記報告に従って、前記リアルタイム無線BBSが前記UEのグループ間で確立可能であるか否かを決定するステップと；
前記決定結果を指示メッセージとして前記ネットワークシステムに送信するステップと；
を更に有する、請求項１６に記載の通信方法。
【請求項１８】
前記報告は、前記UE間でのいくつかのUEと前記UE間での他のUEとの間の距離がP2P通信の無線サービスエリアを超えるという情報、及び／又は探索された前記直接リンクのうちいくつかがトラヒック信号を伝達するために使用できないことを前記UE間でのいくつかのUEの探索報告が示すことについての情報を更に有する、請求項１７に記載の通信方法。
【請求項１９】
前記ネットワークシステムから照会メッセージを受信するステップと；
前記照会メッセージに従って、前記リアルタイム無線BBSを制御する役目をするUEを前記UEのグループ間で選択するステップと；
前記選択されたUEの識別情報を前記ネットワークシステムに送信するステップと；
を更に有する、請求項１８に記載の通信方法。
【請求項２０】
UEにより実行されるP2P通信モードをサポートする無線通信ネットワークの通信方法であって：
ネットワークシステムからUEのグループ間でリアルタイム無線BBSを確立する要求に従って送信されたページングメッセージを受信するステップと；
ページング応答メッセージを前記ネットワークシステムに送信し、前記ページング応答メッセージは、前記UEの位置情報と、P2P機能指示情報と、前記リアルタイム無線BBSの確立が許可されているか否かについての情報とのうち少なくとも１つを有するステップと；
を有する通信方法。
【請求項２１】
前記ネットワークシステムから直接リンクを探索するために割り当てられた無線リソースを受信するステップと；
前記直接リンクを介して前記UEのグループ間での他のUEに探索信号を送信するステップと；
前記探索が成功したときに、リアルタイム無線BBSモードで前記直接リンクを介して通信するステップと；
を更に有する、請求項２０に記載の通信方法。
【請求項２２】
前記リアルタイム無線BBSに参加する要求を前記ネットワークシステムに送信するステップと；
前記ネットワークシステムから前記リアルタイム無線BBSにうまく参加したことについてのメッセージを受信するステップと；
前記参加成功メッセージに従って、前記リアルタイム無線BBSを制御する役目をするUE及び前記リアルタイム無線BBSのオンラインUEの識別情報を取得するステップと；
を更に有する、請求項２１に記載の通信方法。
【請求項２３】
前記リアルタイム無線BBSを終了する要求を前記ネットワークシステムに送信するステップと；
前記無線リソースを解放し、前記リアルタイム無線BBSを終了するステップと；
を更に有する、請求項２１に記載の通信方法。
【請求項２４】
前記ネットワークシステムから前記リアルタイム無線BBSを制御する役目をする指定指示を受信するステップと；
前記リアルタイム無線BBSを終了する指示を前記ネットワークシステムに送信するステップと；
前記無線リソースを解放するステップと；
を更に有する、請求項２１に記載の通信方法。
【請求項２５】
前記ネットワークシステムから前記リアルタイム無線BBSに参加しようとするUEについてのメッセージを受信するステップと；
前記UEが前記リアルタイム無線BBSに参加することを許可又は禁止する指示を前記ネットワークシステムに送信するステップと；
を更に有する、請求項２４に記載の通信方法。
【請求項２６】
UEのグループ間でP2P通信モードをサポートするUEからリアルタイム無線BBSを確立する要求を受信し、前記要求は前記UEのグループ間での他のUEの識別情報を有する受信ユニットと；
前記リアルタイム無線BBSを確立する要件が満たされているか否かを決定する決定ユニットと；
前記リアルタイム無線BBSを確立する要件が満たされている場合に、対応する無線リソースを前記UEのグループに割り当て、これにより、情報が前記UEのグループ間でP2P通信モードをサポートするUE間での直接リンクを介して交換されることが可能になる割り当てユニットと；
を有するネットワークシステム。
【請求項２７】
前記リアルタイム無線BBSを確立する要求に従って、ページングメッセージを前記他のUEにそれぞれ送信する送信ユニットと；
前記他のUEからページング応答メッセージを受信し、前記ページング応答メッセージは、P2P機能指示情報を有する受信ユニットと；
前記P2P機能指示情報に従って、前記他のUEがリアルタイム無線BBS通信を実行する機能を有するか否かを判定し、前記リアルタイム無線BBSが前記UEのグループ間で確立可能であるか否かを決定する決定ユニットと；
を更に有する、請求項２６に記載のネットワークシステム。
【請求項２８】
前記ページング応答メッセージは、前記他のUEの位置情報を有し、
前記決定ユニットは、前記位置情報に従って、前記UEのグループの何らかの２つのUEの間の距離がP2P通信のサービスエリア範囲内にあるか否かを判定し、前記UEのグループ間で前記リアルタイム無線BBSが確立可能であるか否かを決定する、請求項２７に記載のネットワークシステム。
【請求項２９】
前記割り当てユニットは、前記直接リンクを探索する無線リソースを前記UEのグループに割り当て、これにより、各UEは、前記直接リンクを介して前記UEのグループの他のUEに探索信号をそれぞれ送信し；
前記受信ユニットは、前記各UEから探索報告を受信し；
前記決定ユニットは、前記探索報告に従って、トラヒック信号が前記直接リンクを介して伝達可能であるか否かを判定し、前記リアルタイム無線BBSが前記UEのグループ間で確立可能であるか否かを決定する、請求項２６に記載のネットワークシステム。
【請求項３０】
P2P（Peer-to-Peer）通信モードをサポートするUEであって：
前記UEを含むUEのグループ間でリアルタイム無線BBSを確立する要求をネットワークシステムに送信し、前記要求は、前記UEのグループ間での他のUEの識別情報を有する送信ユニットと；
前記ネットワークシステムから前記要求に従って割り当てられた無線リソースを受信する受信ユニットと；
前記無線リソースを使用することにより、P2P通信の前記直接リンクを介して前記他のUEと情報を交換する通信ユニットと；
を有するUE。
【請求項３１】
ネットワークシステムからUEのグループ間でリアルタイム無線BBSを確立する要求に従って送信されたページングメッセージを受信する受信ユニットと；
ページング応答メッセージを前記ネットワークシステムに送信し、前記ページング応答メッセージは、前記UEの位置情報と、P2P機能指示情報と、前記リアルタイム無線BBSの確立が許可されているか否かについての情報とのうち少なくとも１つを有する送信ユニットと；
を更に有する、請求項３０に記載のUE。
【請求項３２】
前記送信ユニットは、前記リアルタイム無線BBSに参加する要求を前記ネットワークシステムに送信し；
前記受信ユニットは、前記ネットワークシステムから前記リアルタイム無線BBSにうまく参加したことについてのメッセージを受信し、前記リアルタイム無線BBSを制御する役目をするUE及び前記リアルタイム無線BBSのオンラインUEの識別情報を取得する、請求項３１に記載のUE。
【請求項３３】
前記送信ユニットは、前記リアルタイム無線BBSを終了する要求を前記ネットワークシステムに送信し；
前記UEは、前記無線リソースを解放し、前記リアルタイム無線BBSを終了する解放ユニットを更に有する、請求項３１に記載のUE。
【請求項３４】
前記受信ユニットは、前記ネットワークシステムから前記リアルタイム無線BBSを制御する役目をする指定指示を受信し；
前記送信ユニットは、前記リアルタイム無線BBSを終了する指示を前記ネットワークシステムに送信する、請求項３１に記載のUE。
【発明の詳細な説明】
【技術分野】
【０００１】
本発明は、通信方法及び装置に関し、特にP2P（Peer-to-Peer）通信モードをサポートする通信ネットワークでリアルタイム無線掲示板システム（RWBBS：Real-time  Wireless  Bulletin  Board  System）を提供する通信方法及び装置に関する。
【背景技術】
【０００２】
掲示板サービス（BBS：Bulletin  Board  Service）は、インターネットでの電子情報サービスシステムである。ユーザ装置（UE：User  Equipment）がBBSを介して情報を発行すると、送信した情報は、まずBBSを構成しているサーバに配信される。サーバにアクセスすることを通じて、BBSの全オンラインユーザは、UEが発行した情報を取得することができる。インターネットでのBBSの出現は、便利な情報相互作用の手法を提供している。各オンラインBBSユーザは、ネットワークの何らかのUEによりポストされたメッセージ及びファイルを交換又は共有することができる。
【０００３】
しかし、典型的には、各ユーザは、インターネットにログインするコンピュータ、ネットワーク相互接続用のケーブル等のような固定の複雑なハードウェア設備を介して、情報又はファイルの共有を実現し得る。ユーザが移動しているときに、ネットワークのサポートの欠如のため、情報がBBSを介して正規に取得できない可能性が非常に高くなる。更に、ユーザが（ポータブルコンピュータであっても）コンピュータ及び同様のハードウェア設備を持ち運ぶことは、非常に不便である。更に、何人かの相互に面識のある人が同じ観光地に行くときに、複雑なコンピュータ及び固定のネットワークを必要とすることなく、BBSと同じように地元の旅行情報（天候、交通、習慣等）を交換又は共有できれば、明らかに利便性及び楽しみをもたらす。
【０００４】
無線通信技術の発展で、ユーザは、例えば移動端末によって、音声、テキスト、画像等のような様々な情報サービスを、無線通信ネットワークから容易且つ迅速に取得することができる。広いサービスエリアを備える無線通信ネットワークを通じて移動端末の全ユーザ間で情報の共有又は交換を可能にし、これにより、無線通信ネットワークがリアルタイム無線BBS（RWBBS）を提供可能にすることが、現在の無線通信技術の分野における関心の高い研究議題になっている。
【０００５】
しかし、実際の用途では、移動端末のユーザがRWBBSを使用する場合に、各ユーザがネットワークシステム（例えば第３世代移動通信ネットワークのTD-SCDMAのUTRAN（Universal  Terrestrial  Radio  Access  Network））を介して情報をポスト又は取得すると、多くの無線リソースを消費する。更に、ネットワークシステムを介した周波数情報の相互作用は通信ネットワークに多くの無線干渉をもたらし、従って、ネットワーク容量に影響を及ぼす。
【０００６】
従って、無線通信ネットワークでのユーザ間の情報共有に適合された新しい通信方法及び装置を提案する必要がある。
【発明の開示】
【発明が解決しようとする課題】
【０００７】
本発明の目的は、無線通信ネットワークがリアルタイム無線BBS（RWBBS）を提供することを可能にする通信方法及び装置を提供することである。リアルタイム無線BBSでUEは情報を正規に共有できるだけでなく、UEが相互に非常に近いときに、ネットワークの無線リソースを節約し、無線干渉を減少させ、更にネットワーク容量を増加させることができる。
【課題を解決するための手段】
【０００８】
本発明の前記の目的を実現するために、本発明に従ってネットワークシステムにより実行される通信方法が提供され、UEのグループ間でP2P通信モードをサポートするUEからリアルタイム無線BBSを確立する要求を受信し、この要求はUEのグループ間での他のUEの識別情報を有するステップと、リアルタイム無線BBSを確立する要求に従って、対応する無線リソースをUEのグループに割り当て、これにより、情報がP2P通信モードをサポートするUE間での直接リンクを介して交換されることが可能になるステップとを有する。
【０００９】
本発明に従ってP2P通信モードをサポートするUEにより実行される通信方法が提供され、UEを含むUEのグループ間でリアルタイム無線BBSを確立する要求をネットワークシステムに送信し、この要求は、UEのグループ間での他のUEの識別情報を有するステップと、ネットワークシステムから要求に従って割り当てられた無線リソースを受信するステップと、無線リソースを使用することにより、P2P通信の直接リンクを介して他のUEと情報を交換するステップとを有する。
【００１０】
本発明に従ってUE（User  Equipment）により実行されるP2P（Peer-to-Peer）通信モードをサポートする無線通信ネットワークの通信方法が提供され、ネットワークシステムからUEのグループ間でリアルタイム無線BBSを確立する要求に従って送信されたページングメッセージを受信するステップと、ページング応答メッセージをネットワークシステムに送信し、このページング応答メッセージは、UEの位置情報と、P2P機能指示情報と、リアルタイム無線BBSの確立が許可されているか否かについての情報とのうち少なくとも１つを有するステップとを有する。
【００１１】
本発明に従ってネットワークシステムが提供され、UEのグループ間でP2P通信モードをサポートするUEからリアルタイム無線BBSを確立する要求を受信し、この要求はUEのグループ間での他のUEの識別情報を有する受信ユニットと、リアルタイム無線BBSを確立する要件が満たされているか否かを決定する決定ユニットと、リアルタイム無線BBSを確立する要件が満たされている場合に、対応する無線リソースをUEのグループに割り当て、これにより、情報がUEのグループ間でP2P通信モードをサポートするUE間での直接リンクを介して交換されることが可能になる割り当てユニットとを有する。
【００１２】
本発明に従ってP2P通信モードをサポートするUEが提供され、UEを含むUEのグループ間でリアルタイム無線BBSを確立する要求をネットワークシステムに送信し、この要求は、UEのグループ間での他のUEの識別情報を有する送信ユニットと、ネットワークシステムから要求に従って割り当てられた無線リソースを受信する受信ユニットと、無線リソースを使用することにより、P2P通信の直接リンクを介して他のUEと情報を交換する通信ユニットとを有する。
【発明を実施するための最良の形態】
【００１３】
本発明の前記及び他の目的、特徴及び他の利点は、添付図面と共に以下の詳細な説明から明確に理解される。
【００１４】
本発明の好ましい実施例の詳細な説明について、添付図面に参照が行われる。
【００１５】
図面を通じて、同一又は類似の要素が同じ参照符号で示されている。
【００１６】
本発明に従って提案されるリアルタイム無線BBSを提供可能にする通信方法に関して、リアルタイムで情報を交換しようとするUEのグループが相互に非常に近いときに、これらのUEがP2P機能を有する場合には、P2P通信モードを参照することにより、UEのグループは、ネットワークシステムの助けを借りて、これらのUE間でP2P直接リンクを確立することにより、トラヒック情報を交換することができる。このようなRWBBS通信モードでは、基地局とUEとの間でトラヒック信号を伝達する専用チャネルを確立することなく、トラヒック信号はUE間で直接伝達されるため、この通信方法は非常に効率的に無線リソースを節約することができる。
【００１７】
P2P通信モードの詳細な説明、及びP2P直接リンクを介してトラヒック信号を伝達する特定の手順は、2003年3月7日にKONINKLIJKE  PHILIPS  ELECTRONICS  N.V.により出願された特許出願第CN03119892.9号及びCN03119894.5号に開示されている。これらの特許出願が参照として取り込まれる。
【００１８】
図１は、本発明の実施例に従ってUEが無線通信ネットワークでRWBBSを共有する概略図である。図１に示すように、P2P通信モードを参照することにより、UE1、UE2、UE3及びUE4は、それぞれUTRANとシグナリングリンクを維持し、これにより、UTRANは、RWBBS通信モードで各UEに対して制御を持続する。更に、送信側UEとしてのUE1と受信側UEとしての複数のUE（UE2、UE3及びUE4）との間に、P2P通信の直接リンクがそれぞれ確立される。
【００１９】
図１に示すRWBBS通信モードでは、UE1は、UTRANにより割り当てられた同じ無線リソース（すなわち、同じタイムスロット及び同じ拡散コードでの同じ周波数キャリア）を使用することにより、同時に各直接リンクを介してトラヒックデータを送信する。受信側のUE2、UE3及びUE4は、UTRANにより割り当てられた対応する無線リソースを使用することにより、UE1との各直接リンクを介して、UE1から同じタイムスロットでトラヒックデータを受信する。
【００２０】
UE1は、各直接リンクを介してトラヒックデータをUE2、UE3及びUE4に送信することができ、各UEとUTRANとの間にトラヒックリンクを確立する必要なく情報共有が実現できるため、図１に示す本発明のRWBBS提供方法は、かなり無線リソースを節約することができる。更に、UTRANとUE1、UE2、UE3及びUE4のそれぞれとの間でずっとシグナリングリンクが維持されるため、UTRANは進行中のRWBBS通信をリアルタイムで監視することができる。
【００２１】
TD-SCDMAシステムを例に挙げて、本発明の実施例に従ってRWBBSを実装する方法のフローチャートについて、図２と共に以下に説明する。
【００２２】
P2P通信機能を有するUE1がRWBBS通信モードの確立を開始することができることを仮定する。図２に示すように、アイドル状態のUEがRWBBS通信モードを採用して同じセル内のUEのグループと情報を交換しようとすると、UE1はRWBBS確立要求をネットワークシステムUTRANに送信し、これよりランダムアクセス処理を開始する（ステップS10）。
【００２３】
RWBBS確立要求は、UEのグループの中の他のUE（UE2、UE3及びUE4等）のユーザ識別情報を有する。ユーザ識別情報は、ユーザの電話番号でもよく、ユーザの識別情報を特定することができる他の情報でもよい。
【００２４】
RWBBS確立要求を受信すると、UTRANは、他のUEの識別情報に従ってそれぞれUE2、UE3及びUE4にページングメッセージを送信し、UE1がRWBBS確立を開始するというメッセージを他のUEに通知する（ステップS20）。
【００２５】
その時点で他のUEがアイドル状態であることを仮定すると、UE2、UE3及びUE4は、ページングメッセージを受信した後に、ページング応答メッセージをURTANにそれぞれ送信し、それぞれ接続状態に入る（ステップS30）。
【００２６】
ページング応答メッセージを通じて、各UE（すなわち、UE2、UE3及びUE4）は、UE1のRWBBS確立要求を受け入れるか否かについての情報と共に、RWBBSモードで情報を交換するRWBBS機能を有するか否かをUTRANに通知する。一般的に、P2P通信をサポートするUEは、RWBBS通信を実行する機能を有する。
【００２７】
更に、UTRANは、ページング応答メッセージに従って各UEの位置情報を取得することができる。位置情報は、ページング応答信号の到達方向（DOA：Direction  of  Arrival）、ページング応答信号が基地局に到達した時間等のようなUEの位置を推定する情報でもよい。UTRANはまた、UEの特定の位置を取得するためにGPS（Global  Positioning  System）を使用してもよい。UTRANは従来の方法でUEの位置を取得することができるため、ここでは詳細な説明は省略する。
【００２８】
UE1、UE2及びUE3からページング応答メッセージを受信すると、UTRANは、これらのページング応答メッセージに従って、UE1、UE2、UE3及びUE4を有するUEのグループがRWBBS通信を確立する所定の初期要件を満たしているか否かを決定する（ステップS40）。
【００２９】
まず、UTRANは、ページング応答メッセージに含まれるRWBBS機能指示情報に従って、UE2、UE3及びUE4の全てがUWBBS通信をサポートするか否か（すなわち、UE2、UE3及びUE4の全てがP2P通信機能を有するか否か）を判定する。次に、UTRANは、ページング応答メッセージに含まれるRWBBS確立要求が受け入れられたか否かについての情報に従って、UE2、UE3及びUE4の全てがUE1とRWBBSを確立することに合意しているか否かを判定する。
【００３０】
UTRANは、前記の２つの判定結果に従って、RWBBSがUE1とUE2、UE3及びUE4との間で確立可能であるか否かを決定する（ステップS50）。
【００３１】
(1)各UEがP2P通信機能を有しており、RWBBS確立要求を受け入れると、RWBBSを確立する所定の初期要件が満たされ、これにより、UTRANはRWBBSを確立する次の動作ステップS60を続ける。
【００３２】
(2)いくつかのUE（UE2等）がP2P通信機能を有さない場合、又はいくつかのUE（UE2等）がRWBBS確立要求を受け入れない場合（ステップS52）、UTRANは、いくつかのUE（UE2等）についての識別情報をUE1に報告する（ステップS54）。
【００３３】
初期要件を満たしていないいくつかのUEの識別情報を受信すると、UE1は、実際の状況に従って、いくつかのUEが存在しない場合に初期要件を満たす他のUEとRWBBS確立を続けるか否かを決定する（ステップS56）。
【００３４】
例えば、UE2のユーザがユーザのグループリーダである場合、ユーザのグループ間で交換される情報は、UE2のユーザにより認識されるべきである。従って、UE1は、このRWBBS確立手順を一時停止するように指示する。他方、UE2が単に通常のメンバである場合、UE1は、おそらくRWBBS確立を続けるように指示する。
【００３５】
UE1は、その決定を指示としてUTRANに送信する（ステップS58）。一時停止指示を受信すると、UTRANはこのRWBBS確立を終了する動作を実行する（ステップS1000）。逆に、継続指示を受信すると、UTRANは、RWBBSを確立する次の動作ステップS60を実行する。
【００３６】
(3)UEの全てがP2P通信機能を有さない場合、又はUEの全てがRWBBS確立要求を受け入れない場合、UTRANはこのRWBBS確立を終了する動作を実行する（ステップS1000）。
【００３７】
(1)及び(2)の前記の２つの場合を含み、RWBBSを確立する次の動作を続けることが決定された場合、UTRANは、マルチキャスト通信がUEのグループ間（例えば、(1)の場合でのUE1、UE2、UE3及びUE4の間、(2)の場合でのUE1、UE3及びUE4の間）で実行可能であるか否かを決定する（すなわち、UEのグループ間でRWBBSを確立する可能性を更に決定する）（ステップS60）。
【００３８】
UTRANは、ページング応答メッセージに含まれるUEの位置情報に従って、初期要件を満たすUEのグループの何らかの２つのUEの間の距離がP2P通信の無線サービスエリア範囲内にあるか否かを判定する。次に、UTRANは、P2Pリンク探索用の無線リソースをUEのグループに割り当てる。各UEは、マルチキャスト通信のP2Pリンク探索手順に従って、グループの他のUEに順次に（順番に）探索信号を送信するために、それぞれ無線リソースを使用する（すなわち、直接リンクのP2P探索手順を実行する）。UTRANは、各UEから探索報告を受信し、各UEからの探索結果に従って、UEのグループの何らかの２つのUEの間の直接リンクの性能がトラヒック通信のQoS要件を満たすことができるか否かを判定し、これにより、UEのグループ間でRWBBSを確立する所定の要件が満たされているか否かを更に決定する。
【００３９】
マルチキャスト通信でUEにより実行されるP2P直接リンク探索手順に関して、この出願と共にKONINKLIJKE  PHILIPS  ELECTRONICS  N.V.により出願された“Method  and  Apparatus  for  Multicast  Communication  in  Wireless  Communication  Networks”（代理人管理番号No.CNPHI0087（CN050011））という題の特許出願に特定のステップが記載されている。この特許出願が参照として取り込まれる。
【００４０】
前記の２つの判定結果に基づいて、UTRANは、前記の初期要件を満たすUEのグループ間でRWBBSが確立可能であるか否かを更に決定する。
【００４１】
(1)各UEがグループの他のUEのいずれかのP2P通信の無線サービスエリア範囲内にあり、何らかの２つのUEの間の直接リンクがトラヒック信号を伝達するために使用可能であることを探索結果が示す場合（すなわち、全てのP2Pリンク探索が成功した場合）（ステップS80）、UTRANはRWBBSを確立する次の動作ステップS90を実行する。
【００４２】
(2)いくつかのUE（UE2等）とグループの他のUE（UE3等）との間の距離がP2P通信の無線サービスエリア範囲を超える場合、又はいくつかのUE（UE2等）とグループの他のUE（UE3等）との間の直接リンクがトラヒック信号を伝達するために使用できないことを探索結果が示す場合（すなわち、いくつかのP2Pリンク探索が失敗した場合）、UTRANは、いくつかのUE（UE2等）及び関与するUE（UE3等）の識別情報をUE1に報告する（ステップS82）。
【００４３】
これらの機能のないUEの識別情報を受信すると、UE1は、実際の状況に従って、いくつかのUEが存在しない場合にRWBBS確立を続けるか否かを判定し（ステップS84）、決定を指示メッセージとしてUTRANに送信する（ステップS86）。
【００４４】
UTRANは、受信した指示メッセージに従って、対応する動作を実行する（ステップS88）。一時停止指示が受信された場合、UTRANは、RWBBSを確立する動作を中止する（ステップS1000）。継続指示が受信された場合、UTRANは、RWBBSを確立する次のステップS90を実行する。
【００４５】
ステップS90において、UTRANは、RWBBS確立成功メッセージをUE1（RWBBSの開始側）に送信し、RWBBSを制御する役目をするUEの識別情報を更に指示するようにUE1に要求する（ステップS90）。RWBBSを制御する役目をするUEは、インターネットのBBSの掲示板マネージャ（マスター）として機能する。
【００４６】
UTRANから送信された要求メッセージを受信すると、UE1は、RWBBSを制御する役目をするUEの識別情報を含み、UE1により指定された指定指示をUTRANに返信する。当然に、この指示はまた、グループのUEがRWBBSにログインするときに使用されるための、UE1により指定されたRWBBSの名前を有してもよい（ステップS100）。
【００４７】
UE1がRWBBSを制御する役目をするために自分を指定し、前記の決定手順を通じて、RWBBSがUE1、UE2、UE3及びUE4を有するUEのグループ間で確立可能であることをUTRANが決定し、次に前記の指定指示を受信すると、UTRANは、UE1の識別情報とRWBBSの名前とをRWBBSの現オンラインユーザ（すなわち、RWBBSを現在共有しているUE2、UE3及びUE4）に転送する（ステップS110）。
【００４８】
掲示板マネージャについての情報とUTRANにより転送されたRWBBSの名前とを受信すると、UE2、UE3及びUE4は受信承認メッセージをUTRANに送信する（ステップS120）。
【００４９】
前記の手順を通じて、UTRANの助けを借りて、RWBBSがUEのグループ（UE1、UE2、UE3及びUE4）間に確立される。各UEの所有者はRWBBSを通じて他人とリアルタイムに情報を交換することができる。
【００５０】
RWBBS確立の後に、特定のUEのユーザがグループの他のメンバといくつかの情報を共有することを期待すると、UEは、この出願と共にKONINKLIJKE  PHILIPS  ELECTRONICS  N.Vにより出願された特許出願（代理人管理番号No.CNPHI0087）に記載のようなマルチキャスト通信方法で、ネットワークシステムにより割り当てられたマルチキャスト通信用の無線リソースを使用することにより、UEとグループの他のUEとの間の直接リンクを介してトラヒックデータを送信することができる。この場合に、共有情報を要求するUEはマルチキャスト通信の送信側UEとして動作し、グループの他のUEはマルチキャスト通信の受信側UEとして動作する。この特許出願が参照として取り込まれる。
【００５１】
RWBBSを制御する役目をするUE（例えばこの実施例のUE1）がRWBBSを終了しようとすると、UE1は、終了指示をUTRANに送信し、占有された無線リソースを解放する（ステップS140）。
【００５２】
終了指示を受信すると、UTRANは、終了指示をRWBBSの現オンラインユーザ（例えば、UE2、UE3及びUE4）に転送する（ステップS150）。
【００５３】
転送された終了指示を受信すると、UE2、UE3及びUE4は受信承認メッセージをUTRANに送信し、占有された無線リソースを解放する（ステップS160）。
【００５４】
UE2、UE3及びUE4が転送された終了指示を受信したことを決定すると、UTRANは、割り当てられた無線リソースを再生する（ステップS170）。
【００５５】
前記の説明は、図２に関連して、本発明の実施例に従って無線通信ネットワークでRWBBSを実施する手順について行われた。本発明の他の実施例を参照して、前記の手順を通じてUE1、UE2、UE3及びUE4の間でRWBBSが確立された後に、他のUE（UE5）がRWBBSに参加する手順について、説明を行う。
【００５６】
図３に示すように、P2P通信機能を有しており、アイドル状態にあるUE5がRWBBSに参加しようとすると、UE5は、RWBBSに参加する要求をUTRANに送信する（ステップS200）。
【００５７】
RWBBSに参加する要求を受信すると、UTRANは、参加要求（UE5の識別情報をも含む参加要求）を、UE1のようなRWBBSを制御する役目をするUE（前記の実施例でのRWBBSの掲示板マネージャ）に転送し、UE5がRWBBSに参加することを許可されているか否かを照会する（ステップS210）。
【００５８】
照会メッセージを受信すると、UE1は指示をUTRANに送信し、UE5の参加要求を受け入れるか否かを指示する（ステップS220）。
【００５９】
掲示板マネージャUE1から受信した指示に基づいて、UTRANは、UE5がRWBBSに参加するか否かを掲示板マネージャUE1が許可するかを判定する。
【００６０】
UE5がRWBBSに参加することを掲示板マネージャUE1が許可しないことを指示が示す場合、UTRANは、“RWBBS参加失敗”メッセージをUE5に送信する（ステップS242）。“RWBBS参加失敗”メッセージを受信すると、UE5は、RWBBSに参加する手順を終了する（ステップS244）。
【００６１】
UE5がRWBBSに参加することを掲示板マネージャUE1が許可することを指示が示す場合、UTRANは、UE5がRWBBSのそれぞれの現オンラインUEとマルチキャスト通信を実行することができるか否かを検査する（ステップS250）（すなわち、UE5と各オンラインUEとの間の距離がP2P通信用の無線サービスエリア範囲を超えているか否かを判定し、UE5と各オンラインUEとの間の直接リンクがそれぞれトラヒック信号を伝達するために使用可能であるか否か（すなわち、P2P探索手順が成功したか否か）を判定する）。この手順はまた、KONINKLIJKE  PHILIPS  ELECTRONICS  N.V.により出願された特許出願（代理人管理番号No.CNPHI0087）に記載されたマルチキャスト通信の特定のステップを採用してもよく、ここでは詳細な説明は省略する。
【００６２】
UE5がRWBBSのそれぞれの現オンラインUEとマルチキャスト通信を実行できることを検査結果が示す場合、UTRANは“RWBBS参加成功”メッセージをUE5に送信し、RWBBSを制御する役目をする掲示板マネージャUE1のユーザ識別情報についてのメッセージに、RWBBSの名前とRWBBSのそれぞれの現オンラインUEの識別情報とを埋め込む（ステップS270）。更に、UTRANはまた、UE5がうまくRWBBSに参加したというメッセージをRWBBSのそれぞれの現オンラインUEに送信する。
【００６３】
UTRANから“RWBBS参加成功”メッセージを受信すると、UE5は承認メッセージをUTRANに送信し、RWBBSの各オンラインユーザと情報を交換する準備ができていることをネットワークシステムに通知する（ステップS280）。
【００６４】
UE5がRWBBSのいくつかの現オンラインUEとマルチキャスト通信を実行することができないことを検査結果が示す場合、UTRANは、いくつかのオンラインUEの識別情報を掲示板マネージャUE1に送信する（ステップS262）。
【００６５】
いくつかのオンラインUEの識別情報に基づいて、UE1は、UE5がRWBBSに参加することを可能にする手順を進めるか否かを決定し（ステップS264）、この決定を指示メッセージとしてUTRANに送信する（ステップS266）。
【００６６】
UE1からの指示メッセージに基づいて、UTRANは、対応する動作を実行する（ステップS268）。特に、UE1が参加手順を続けることを指示メッセージが示す場合、UTRANは、ステップS270と同様の動作を実行し、“RWBBS参加成功”メッセージをUE5に送信する。UE5は、ステップS280と同様の動作を実行し、“RWBBS参加成功”メッセージを受信した後に、承認メッセージをUTRANに送信する。UE1が参加手順を実行することを中止することを指示メッセージが示す場合、UTRANは、ステップS242と同様の動作を実行し、“RWBBS参加失敗”メッセージをUE5に送信する。UE5は、ステップS244と同様の動作を実行し、“RWBBS参加失敗”メッセージを受信した後にRWBBSに参加する手順を終了する。
【００６７】
図３は、本発明の実施例に従ってUEがRWBBSに参加する手順を示している。本発明の他の実施例に関連して、RWBBSのUE5のようなオンラインUEがRWBBSを終了する手順について、以下に説明する。
【００６８】
図４に示すように、UE5（アイドル状態のRWBBSのオンラインUE）がRWBBSを終了しようとすると、UE5は、RWBBSを終了する要求をUTRANに送信する（ステップS310）。
【００６９】
終了要求を受信すると、UTRANは、終了要求と共に、UE5のユーザ識別情報をRWBBSのそれぞれの現オンラインUE（UE1〜UE4等）に送信する（ステップS320）。
【００７０】
UE5の終了要求を受信すると、UE1、UE2、UE3及びUE4は、受信承認メッセージをUTRANにそれぞれ送信し、UE5がRWBBSを終了することを既に通知されていることを指示する（ステップS330）。
【００７１】
UE1〜UE4から承認メッセージを受信すると、UTRANは、“RWBBS終了成功”、メッセージをUE5に送信し（ステップS340）、これにより、“RWBBS終了成功”メッセージを受信したときに、UE5はRWBBSを終了し、占有された無線リソースを解放する（ステップS350）。
【００７２】
図２〜図４に関して、本発明で提案される無線通信ネットワークで使用されるRWBBS通信方法について詳細な説明を行った。しかし、本発明はこれらの実施例に限定されない。例えば、本発明は、同じセルに在圏（camp）するUEのグループ間でRWBBS通信を確立することに適しているだけでなく、複数のUEが異なるセルにそれぞれ在圏している場合、又は複数のUEがセルのサービスエリア範囲外にある場合にも適用可能である。
【００７３】
複数のUEが異なるセルにそれぞれ在圏している場合、制御メッセージが異なる基地局により転送される必要があることを除いて、他のステップは本発明の前記の実施例と同じである。制御メッセージが異なる基地局間で伝達される手順に関して、2003年11月27日にKONINKLIJKE  PHILIPS  ELECTRONICS  N.V.により出願された“Method  and  apparatus  for  establishing  P2P  communication  among  UEs  in  different  cells”という題の特許出願（出願番号No.CN200310118646.1）に参照が行われ得る。この特許出願が参照として取り込まれる。
【００７４】
複数のUEがセルのサービスエリア範囲外にある場合の制御メッセージの伝達に関して、2004年8月10日にKONINKLIJKE  PHILIPS  ELECTRONICS  N.V.により出願された“Billing  method  and  apparatus  for  offline  P2P  communication”という題の特許出願（出願番号No.CN200410056540.8）に参照が行われ得る。この特許出願が参照として取り込まれる。マルチキャスト通信を確立する他の手順もこの実施例と同じである。
【００７５】
本発明で提案されるリアルタイム無線BBSを提供可能にする前記の通信方法は、ソフトウェア又はハードウェアで実装されてもよく、これらの双方で実装されてもよい。
【００７６】
＜本発明の利点＞
前記のように、本発明のリアルタイム無線BBSを通信する通信方法によれば、リアルタイムに情報を交換することを期待するUEのグループが相互に非常に近くなると、UEのグループは、基地局とUEとの間でトラヒック信号を伝達する専用チャネルを確立する必要なく、これらの間でP2P直接リンクを介してトラヒック情報を交換することができるため、この通信方法は、効率的に無線リソースを節約することに役立ち、無線干渉を緩和し、更にネットワーク容量をも増加させる。
【００７７】
その一方で、RWBBS通信中に各UEとUTRANとの間に制御リンクが依然として存在するため、RWBBS通信モードはUTRANの制御及びサポートで行われることが可能になり、UTRANがずっと無線リソースを制御する。
【００７８】
更に、TD-SCDMAを例に挙げて記載した本発明のリアルタイム無線BBSを提供する前記の通信方法に関して、これは同様にTDD  CDMAシステムにも適用可能である。
【００７９】
本発明で開示されたリアルタイム無線BBS（RWBBS）を提供する方法及び装置は、特許請求の範囲に記載の本発明の要旨及び範囲を逸脱することなく、様々な変更が行われ得ることが、当業者にわかる。
【図面の簡単な説明】
【００８０】
【図１】本発明の実施例に従ってUEが無線通信ネットワークでRWBBSを共有する概略図
【図２−Ｉ】本発明の実施例に従ってRWBBSを実装する方法のフローチャート
【図２−ＩＩ】本発明の実施例に従ってRWBBSを実装する方法のフローチャート
【図２−ＩＩＩ】本発明の実施例に従ってRWBBSを実装する方法のフローチャート
【図３】本発明の実施例に従ってUEがRWBBSに参加する方法のフローチャート
【図４】本発明の実施例に従ってUEがRWBBSを終了する方法のフローチャート
【図１】
2008527884.tif 000003
【図２−Ｉ】
2008527884.tif 000004
【図２−ＩＩ】
2008527884.tif 000005
【図２−ＩＩＩ】
2008527884.tif 000006
【図３】
2008527884.tif 000007
【図４】
2008527884.tif 000008
【国際調査報告】
2008527884.tif 000009
2008527884.tif 000010
2008527884.tif 000011